(57)【特許請求の範囲】
【請求項１】
長手方向一端側を水平方向に回動自在に支持された複数の足場フレームを互いに水平方向に間隔をおいて平行に配置するとともに、各足場フレームの上端側に床パネルを架け渡すように配置することにより、構造物から吊り下げられる足場本体を形成するようにした吊足場において、
互いに水平方向に間隔をおいて平行に配置される足場フレームの下端側に架け渡されるように配置され、両端側を各足場フレームの下端側に係合することにより各足場フレームを互いに間隔をおいて保持する間隔保持部材を備え、
足場フレームの長手方向端部に他の新たな足場フレームの長手方向端部を水平方向に回動自在に連結可能な連結部を設け、
連結部は、足場フレームの長手方向一端側に設けられた第１の連結部と、足場フレームの長手方向他端側に設けられ、第１の連結部に上下方向に着脱自在且つ水平方向に回動自在に連結される第２の連結部と、第１及び第２の連結部の一方の下端と足場フレームの端部下端側とが固定された基板と、互いに連結された第１及び第２の連結部の上端と足場フレームの端部上端側とを連結する連結板とを有し、
第１及び第２の連結部は、一方が他方の内部に挿入される円筒状部材によって形成されている
ことを特徴とする吊足場。
【請求項２】
長手方向一端側を水平方向に回動自在に支持された複数の足場フレームを互いに水平方向に間隔をおいて平行に配置するとともに、各足場フレームの上端側に床パネルを架け渡すように配置することにより、構造物から吊り下げられる足場本体を形成するようにした吊足場において、
前記床パネルに各足場フレームの上端側に係合する複数の係合部を設け、
床パネルの各係合部と各足場フレームとの係合により各足場フレームを互いに間隔をおいて保持するように構成し、
足場フレームの長手方向端部に他の新たな足場フレームの長手方向端部を水平方向に回動自在に連結可能な連結部を設け、
連結部は、足場フレームの長手方向一端側に設けられた第１の連結部と、足場フレームの長手方向他端側に設けられ、第１の連結部に上下方向に着脱自在且つ水平方向に回動自在に連結される第２の連結部と、第１及び第２の連結部の一方の下端と足場フレームの端部下端側とが固定された基板と、互いに連結された第１及び第２の連結部の上端と足場フレームの端部上端側とを連結する連結板とを有し、
第１及び第２の連結部は、一方が他方の内部に挿入される円筒状部材によって形成されている
ことを特徴とする吊足場。
【請求項３】
長手方向一端側を水平方向に回動自在に支持された複数の足場フレームを互いに水平方向に間隔をおいて平行に配置するとともに、各足場フレームの上端側に床パネルを架け渡すように配置することにより、構造物から吊り下げられる足場本体を形成するようにした吊足場において、
互いに水平方向に間隔をおいて平行に配置される足場フレームの下端側に架け渡されるように配置され、両端側を各足場フレームの下端側に係合することにより各足場フレームを互いに間隔をおいて保持する間隔保持部材を備えるとともに、
前記床パネルに各足場フレームの上端側に係合する複数の係合部を設け、
床パネルの各係合部と各足場フレームとの係合により各足場フレームを互いに間隔をおいて保持するように構成し、
足場フレームの長手方向端部に他の新たな足場フレームの長手方向端部を水平方向に回動自在に連結可能な連結部を設け、
連結部は、足場フレームの長手方向一端側に設けられた第１の連結部と、足場フレームの長手方向他端側に設けられ、第１の連結部に上下方向に着脱自在且つ水平方向に回動自在に連結される第２の連結部と、第１及び第２の連結部の一方の下端と足場フレームの端部下端側とが固定された基板と、互いに連結された第１及び第２の連結部の上端と足場フレームの端部上端側とを連結する連結板とを有し、
第１及び第２の連結部は、一方が他方の内部に挿入される円筒状部材によって形成されている
ことを特徴とする吊足場。
【請求項４】
前記第１及び第２の連結部を所定の回動位置で位置決めする位置決め手段を備えた
ことを特徴とする請求項１乃至３の何れか一項記載の吊足場。
【請求項５】
前記床パネルを、足場フレームに係合した状態で上面が足場フレームの上端と同等の高さ位置になるように形成した
ことを特徴とする請求項１乃至４の何れか一項記載の吊足場。
【請求項６】
前記足場フレームの長手方向端部に他の新たな足場フレームの長手方向端部を連結することによって所定方向に延びるように形成され、互いに前記所定方向の直角方向に間隔をおいて設けられた複数の第１の足場部と、
各第１の足場部の足場フレームの長手方向任意の位置に前記所定方向の直角方向に延びる他の足場フレームを連結することによって各第１の足場部間に亘って形成された第２の足場部を備えた
ことを特徴とする請求項１乃至５の何れか一項記載の吊足場。
【発明の詳細な説明】
【技術分野】
【０００１】
本発明は、例えば橋梁等の構造物の新設、補修、床版取替施工等の作業現場に用いられ、構造物から吊り下げて設置される吊足場に関するものである。
【背景技術】
【０００２】
従来、一般道や高速道路等の橋梁において、鋼橋を建設する場合、鋼桁の架設、組立に伴い鋼桁直下に作業足場を設置して鋼桁の組立、塗装等が行われる。また、既設の鋼桁が劣化損傷した場合は、鋼桁直下に作業足場を設置し、損傷箇所の補修、補強、加工等が行われる。更に、既設の床版が老朽化した場合は、既設床版を主桁上から撤去して新たな床版を架設する床版取替施工が行われる。その際、橋梁本体には作業用の足場が設置されるが、その下方及び下方近傍には車道等がある場合が多く、地上から足場を組み上げることができない。そこで、このような橋梁においては、橋桁から吊り下げられた吊足場が用いられる（例えば、特許文献１参照。）。
【先行技術文献】
【特許文献】
【０００３】
【特許文献１】特開２００４−３１６０７０号公報
【発明の概要】
【発明が解決しようとする課題】
【０００４】
ところで、従来の吊足場を設置する際には、橋梁本体の下方の車道を交通規制して足場用部材（吊チェーン、単管パイプ、足場板等）の搬入及び組立作業を地上から高所作業車等を用いて行う必要があるが、交通量の多い市街地等では長時間に亘る交通規制ができないため、夜間等を利用しながら短区間ずつ行う必要がある。このため、足場の設置作業を効率よく行うことができず、足場の設置工期が長期化するという問題点があった。
【０００５】
本発明は前記問題点に鑑みてなされたものであり、その目的とするところは、地上からの足場の設置が困難な場合でも効率よく設置することのできる吊足場を提供することにある。
【課題を解決するための手段】
【０００６】
本発明は前記目的を達成するために、長手方向一端側を水平方向に回動自在に支持された複数の足場フレームを互いに水平方向に間隔をおいて平行に配置するとともに、各足場フレームの上端側に床パネルを架け渡すように配置することにより、構造物から吊り下げられる足場本体を形成するようにした吊足場において、互いに水平方向に間隔をおいて平行に配置される足場フレームの下端側に架け渡されるように配置され、両端側を各足場フレームの下端側に係合することにより各足場フレームを互いに間隔をおいて保持する間隔保持部材を備えている。
【０００７】
また、本発明は前記目的を達成するために、長手方向一端側を水平方向に回動自在に支持された複数の足場フレームを互いに水平方向に間隔をおいて平行に配置するとともに、各足場フレームの上端側に床パネルを架け渡すように配置することにより、構造物から吊り下げられる足場本体を形成するようにした吊足場において、前記床パネルに各足場フレームの上端側に係合する複数の係合部を設け、床パネルの各係合部と各足場フレームとの係合により各足場フレームを互いに間隔をおいて保持するように構成している。
【０００８】
また、本発明は前記目的を達成するために、長手方向一端側を水平方向に回動自在に支持された複数の足場フレームを互いに水平方向に間隔をおいて平行に配置するとともに、各足場フレームの上端側に床パネルを架け渡すように配置することにより、構造物から吊り下げられる足場本体を形成するようにした吊足場において、互いに水平方向に間隔をおいて平行に配置される足場フレームの下端側に架け渡されるように配置され、両端側を各足場フレームの下端側に係合することにより各足場フレームを互いに間隔をおいて保持する間隔保持部材を備えるとともに、前記床パネルに各足場フレームの上端側に係合する複数の係合部を設け、床パネルの各係合部と各足場フレームとの係合により各足場フレームを互いに間隔をおいて保持するように構成している。
【０００９】
これにより、各足場フレームを回動して互いに平行になるように延ばし、各足場フレームの上端側に床パネルを架け渡すように配置することにより、構造物から吊り下げられる足場本体が形成されることから、地上から足場を組み上げることなく設置することができる。その際、間隔保持部材の両端側を各足場フレームの下端側に係合することにより各足場フレームが互いに間隔をおいて保持されることから、設置状態における幅方向の変形に対する強度が間隔保持部材によって高められる。また、床パネルと各足場フレームとの係合により各足場フレームが互いに間隔をおいて保持されることから、設置状態における幅方向の変形に対する強度が床パネルによって高められる。これにより、足場の幅方向の強度を高めるために足場フレーム自体の構造を複雑化させることがない。更に、前記構成において、足場フレームの長手方向端部に他の新たな足場フレームの長手方向端部を水平方向に回動自在に連結可能な連結部を設けることにより、新たな足場フレームを長手方向に順次連結することが可能となる。この場合、足場フレーム同士を連結する連結部を、足場フレームの長手方向一端側に設けられた第１の連結部と、足場フレームの長手方向他端側に設けられ、第１の連結部に上下方向に着脱自在且つ水平方向に回動自在に連結される第２の連結部とから形成することにより、新たな足場フレームを横向きにした状態で既設の足場側の足場フレームの第２の連結部に新たな足場フレームの第１の連結部を上方から装着して連結した後、新たな足場フレームを回動することが可能となる。また、前記構成において、第１及び第２の連結部を一方が他方の内部に挿入される円筒状部材によって形成することにより、上下方向に着脱自在且つ水平方向に回動自在な連結部が簡単な構成により形成される。更に、前記構成において、連結部は、第１及び第２の連結部の一方の下端と足場フレームの端部下端側とが固定された基板と、互いに連結された第１及び第２の連結部の上端と足場フレームの端部上端側とを連結する連結板とを有しているので、上下方向の曲げに対する足場フレーム同士の連結強度が高められる。
【発明の効果】
【００１０】
本発明によれば、地上から足場を組み上げることなく設置することができるので、水平方向に延びる足場を短時間で容易に形成することができる。これにより、例えば構造物としての橋梁本体の下方及び下方近傍に車道等がある場合でも、交通規制を少なくして効率よく吊足場を設置することができ、足場設置工期を大幅に短縮することができる。また、足場の幅方向の強度を高めるために足場フレーム自体の構造を複雑化させることがないので、足場フレームを簡素化及び軽量化することができ、足場フレームの取付作業を容易に行うことができるとともに、足場全体の軽量化を図ることもできる。更に、新たな足場フレームを長手方向に順次連結することができるので、足場本体を延長しながら現場に応じた長さの足場を容易に形成することができる。その際、新たな足場フレームを横向きにした状態で既設の足場側の足場フレームの第２の連結部に新たな足場フレームの第１の連結部を上方から装着して連結した後、新たな足場フレームを回動することができるので、新たな足場フレームの連結作業を既設の足場側から容易に行うことができる。また、上下方向に着脱自在且つ水平方向に回動自在な連結部を簡単な構成により形成することができるので、構造の簡素化を図ることができる。更に、上下方向の曲げに対する足場フレーム同士の連結強度を高めることができるので、足場全体の安定性を向上させることができる。
【図面の簡単な説明】
【００１１】
【図１】本発明の一実施形態を示す吊足場の正面図
【図２】吊足場の平面図
【図３】吊足場の要部分解斜視図
【図４】吊足場の要部側面図
【図５】吊足場の要部正面図
【図６】吊足場の要部拡大平面図
【図７】吊足場の要部拡大側面図
【図８】吊足場の要部拡大分解側面図
【図９】第１の連結部の回動工程を示す要部正面図
【図１０】第１の連結部の回動工程を示す要部正面図
【図１１】吊足場の要部拡大分解正面図
【図１２】吊足場の要部拡大正面図
【図１３】吊足場の設置工程を示す要部平面図
【図１４】吊足場の設置工程を示す要部平面図
【図１５】吊足場の設置工程を示す要部平面図
【図１６】吊足場の設置工程を示す要部平面図
【図１７】吊足場の設置工程を示す要部平面図
【図１８】吊足場の設置工程を示す要部平面図
【図１９】吊足場の設置工程を示す要部正面図
【図２０】吊足場の設置工程を示す要部正面図
【図２１】吊足場の要部拡大平面図
【図２２】吊足場の要部拡大側面図
【図２３】吊足場の要部拡大分解側面図
【図２４】吊足場の要部平面図
【図２５】間隔保持部材の変形例を示す吊足場の要部平面図
【図２６】吊足場の設置工程を示す要部平面図
【発明を実施するための形態】
【００１２】
図１乃至図２４は本発明の一実施形態を示すもので、例えば橋梁の新設、補修、床版取替施工等の作業現場に用いられる吊足場を示すものである。
【００１３】
本実施形態の吊足場１は、図１に示すように橋梁本体２の上部工の下方に吊り下げて設置され、橋軸直角方向両側にそれぞれ配置される第１の足場部１ａと、各第１の足場部１ａの間に亘って配置される第２の足場部１ｂとからなる。また、吊足場１の橋軸直角方向両側にはそれぞれ側面部１ｃが設けられる。
【００１４】
第１の足場部１ａを構成する吊足場は、互いに水平方向に間隔をおいて平行に配置される複数の足場フレーム１０と、各足場フレーム１０間に架け渡すように配置される複数の第１及び第２の床パネル２０，３０と、各足場フレーム１０同士を平行に保持する間隔保持部材４０とを備え、互いに平行に配置された足場フレーム１０に新たな足場フレーム１０を長手方向に連結しながら橋軸方向に延びる足場を形成するようになっている。
【００１５】
足場フレーム１０は、互いに上下方向に間隔をおいて平行に延びる上側フレーム部材１１及び下側フレーム部材１２と、上側及び下側フレーム部材１１，１２の長手方向両端にそれぞれ設けられた縦フレーム部材１３と、上側及び下側フレーム部材１１，１２の間に設けられたトラス部材１４とからなり、上側及び下側フレーム部材１１，１２は水平方向に延びるパイプ状の部材によって形成されている。縦フレーム部材１３は、上下方向に延びるとともに、上端を閉塞され且つ下端を開口した円筒状の部材からなり、その上端側及び下端側の側面を上側及び下側フレーム部材１１，１２の端部に接合されている。トラス部材１４は山形をなすように斜めに延びる部材からなり、その上端及び下端を上側及び下側フレーム部材１１，１２にそれぞれ接合されている。また、下側フレーム部材１２には、間隔保持部材４０が係合する複数の係合部１２ａが設けられている。係合部１２ａは、上下方向両端を開口した角筒状の部材からなり、下側フレーム部材１２の長手方向一端寄り及び他端寄りに下側フレーム部材１２を間にして２つずつ配置されている。
【００１６】
また、足場フレーム１０の長手方向両端には、他の足場フレーム１０に連結される連結部が設けられている。この連結部は、足場フレーム１０の長手方向一端側に設けられる第１の連結部１５と、足場フレーム１０の長手方向他端側に設けられる第２の連結部１６とからなり、第１及び第２の連結部１５，１６は互いに上下方向に着脱自在且つ水平方向に回動自在に連結されるようになっている。
【００１７】
第１の連結部１５は、足場フレーム１０の長手方向一端側の縦フレーム部材１３によって形成されている。即ち、第１の連結部１５は、上下方向に延びるように形成されるとともに、上端を閉塞し且つ下端を開口した円筒状の部材からなる。
【００１８】
第２の連結部１６は、足場フレーム１０の長手方向他端側に設けられ、上下方向に延びるように形成されるとともに、上端を閉塞し且つ下端を開口した円筒状の部材からなる。第２の連結部１６は、足場フレーム１０の長手方向他端側の縦フレーム部材１３と足場フレーム１０の長手方向に間隔をおいて配置され、第２の連結部１６と縦フレーム部材１３の下端同士は平板状の基板１７に接合されている。第２の連結部１６は、外径が第１の連結部１５の内径よりも僅かに小さい円筒状の部材からなり、第１の連結部１５内に軸心回りに回動自在に挿入されるようになっている。また、第２の連結部１６の下端側には基板１７から上方に突出する半球状の凸部１６ａが設けられ、第１の連結部１５の下端には凸部１６ａに係合する円形の切り欠き状の凹部１５ａが設けられている。即ち、図９に示すように第１の連結部１５に第２の連結部１６が挿入された状態で第１の連結部１５を回動すると、図１０に示すように所定の回動位置（足場フレーム１０同士が長手方向に１８０°をなす回動位置）で凸部１６ａと凹部１５ａが互いに係合し、第１の連結部１５の回動が規制されるようになっている。その際、第１の連結部１５は、下端を凸部１６ａに当接させながら回動し、凸部１６ａと凹部１５ａが係合すると、凸部１６ａの高さ分だけ下降するようになっている。即ち、凸部１６ａ及び凹部１５ａは、第１及び第２の連結部１５，１６を所定の回動位置で位置決めする位置決め手段を構成している。
【００１９】
第１の連結部１５と第２の連結部１６が連結されると、足場フレーム１０同士は連結板１８によって更に連結される。連結板１８は第１の連結部１５の上面及び足場フレーム１０の長手方向他端側の縦フレーム部材１３の上面に亘って延びる平板状の部材からなり、その一端側をボルト１８ａ及びナット１８ｂによって第１及び第２の連結部１５，１６に固定され、その他端側をボルト１８ｃ及びナット１８ｄによって縦フレーム部材１３に固定されるようになっている。この場合、連結板１８の一端側、第１の連結部１５の上面部及び第２の連結部１６の上面部には、それぞれ一方のボルト１８ａを挿通する孔１８ｅ，１５ｂ，１６ｂが設けられ、連結板１８の他端側及び縦フレーム部材１３の上面部には、それぞれ他方のボルト１８ｃを挿通する孔１８ｆ，１３ａが設けられている。また、各ナット１８ｂ，１８ｄは、それぞれ第２の連結部１６の上面部の内面及び縦フレーム部材１３の上面部の内面に接合されている。
【００２０】
第１の床パネル２０は、互いに平行に配置された足場フレーム１０の長手方向に直交する方向に長い四角形状に形成され、幅方向両端側を下方に屈曲した板状部材からなる。また、第１の床パネル２０の表面には多数の滑り止め２０ａが設けられている。第１の床パネル２０の四隅（長手方向両端及び幅方向両端）にはそれぞれ足場フレーム１０の上側フレーム部材１１に係合する係合部２１が設けられている。各係合部２１は、パイプ状の部材（上側フレーム部材１１）に上方から係合可能なフック状の部材からなり、外れ止め（図示せず）を有するものが好ましい。
【００２１】
第２の床パネル３０は、第１の床パネル２０と同様、互いに平行に配置された足場フレーム１０の長手方向に直交する方向に長く且つ第１の床パネル２０の略半分の幅寸法を有する四角形状に形成され、幅方向両端側を下方に屈曲した板状部材からなる。また、第２の床パネル３０の表面には多数の滑り止め３０ａが設けられている。第２の床パネル３０の四隅（長手方向両端及び幅方向両端）にはそれぞれ足場フレーム１０の上側フレーム部材１１に係合する係合部３１が設けられている。各係合部３１は、パイプ状の部材（上側フレーム部材１１）に上方から係合可能なフック状の部材からなり、外れ止め（図示せず）を有するものが好ましい。
【００２２】
第１及び第２の床パネル２０，３０は、図１１に示すように各係合部２１，３１を上側フレーム部材１１に係合した状態で上面が上側フレーム部材１１の上端と同等の高さ位置Ｈになるように形成されている。即ち、各係合部２１，３１は第１及び第２の床パネル２０，３０の端部から水平方向に突出するように設けられており、これにより第１及び第２の床パネル２０，３０の端部が上側フレーム部材１１と水平方向に僅かな間隔をおいて配置され、第１及び第２の床パネル２０，３０の上面が上側フレーム部材１１の上端と同等の高さ位置Ｈになる。この場合、各係合部２１，３１は幅方向の厚さ寸法の小さい板状に形成されており、図１２に示すように上側フレーム部材１１の両側方に第１及び第２の床パネル２０，３０を配置する際、共通の上側フレーム部材１１に係合する係合部２１，３１を互いにその厚さ分だけ上側フレーム部材１１の長手方向にずらして配置することにより、第１及び第２の床パネル２０，３０が他の第１及び第２の床パネル２０，３０と干渉することなく足場フレーム１０に着脱される。
【００２３】
間隔保持部材４０は、互いに平行に配置された足場フレーム１０に亘って延びる角棒状の部材からなり、その両端には下側フレーム部材１２の係合部１２ａに係合する係合部４０ａがそれぞれ設けられている。係合部４０ａは間隔保持部材４０の両端側から下方に屈曲するように形成され、その先端側に向かって幅寸法が徐々に小さくなる断面四角形状に形成されている。即ち、間隔保持部材４０の係合部４０ａは、いわゆる楔作用により、下側フレーム部材１２の係合部１２ａに圧入されるようになっている。
【００２４】
以上の構成からなる吊足場は、既に設置されている吊足場から延長するようにして設置される。以下、図１３乃至図１８を参照し、本実施形態の吊足場の設置工程について説明する。
【００２５】
まず、図１３に示すように、既に設置されている吊足場の幅方向一方の足場フレーム１０に新たな足場フレーム１０を連結する。その際、既設の足場フレーム１０の第２の連結部１６に新たな足場フレーム１０の第１の連結部１５を連結し、第１及び第２の連結部１５，１６を中心に新たな足場フレーム１０を水平方向に回動する。次に、図１４に示すように、新たな足場フレーム１０が既設の足場フレーム１０に対して一直線上に位置するまで回動すると、第１及び第２の連結部１５，１６の回動が凸部１６ａ及び凹部１５ａの係合により規制され、第１及び第２の連結部１５，１６が位置決めされる。次に、この状態で連結板１８を取り付けることにより、互いに連結された第１及び第２の連結部１５の上端及び既設側の足場フレーム１０の縦フレーム部材１３の上端とが連結板１８によって連結される。
【００２６】
この後、幅方向他方の足場フレーム１０に新たな足場フレーム１０を連結し、前述と同様にして、新たな足場フレーム１０が既設の足場フレーム１０に対して一直線上に位置するまで回動することにより、図１５に示すように幅方向一対の新たな足場フレーム１０を互いに平行になるように保持する。
【００２７】
続いて、図１６に示すように１枚の第２の床パネル３０を既設の足場フレーム１０と新たな足場フレーム１０との連結部分を間にするように各足場フレーム１０に架け渡し、間隔保持部材４０を各足場フレーム１０の基端側の係合部１２ａに係合する。
【００２８】
次に、図１７に示すように２枚の第１の床パネル２０を新たな各足場フレーム１０に順次並べて架け渡し、新たな間隔保持部材４０を各足場フレーム１０の先端側の係合部１２ａに係合する。
【００２９】
そして、図１８に示すように２枚目の第２の床パネル３０を新たな各足場フレーム１０の先端側に架け渡すとともに、吊りチェーン等の吊り部材５０を各足場フレーム１０に接続することにより、一つの足場ユニット１ａ−１が設置される。この場合、各足場フレーム１０の下側フレーム部材１２間に架け渡された間隔保持部材４０によって各下側フレーム部材１２が互いに平行に保持されるとともに、各足場フレーム１０の上側フレーム部材１１間に架け渡された第１及び第２の床パネル２０，３０によって各上側フレーム部材１１が互いに平行に保持される。
【００３０】
この後、前述と同様にして新たな足場ユニット１ａ−１を繰り返し設置することにより、橋軸方向に延びる第１の足場部１ａが設置される。この場合、第１の足場部１ａは足場ユニット１ａ−１を橋軸直角方向両側にそれぞれ２列ずつ配置することにより形成され、足場ユニット１ａ−１の各列間では互いに足場フレーム１０が共用される。
【００３１】
次に、第２の足場部１ｂを構成する吊足場について説明する。第２の足場部１ｂの吊足場は、互いに水平方向に間隔をおいて平行に配置される複数の足場フレーム６０と、足場フレーム６０を第１の足場部１ａの足場フレーム６０の長手方向任意の位置に連結する連結フレーム７０と、前記第１の足場部１ａと同等の第１の床パネル２０、第２の床パネル３０及び間隔保持部材４０とを備え、互いに平行に配置された足場フレーム６０を各第１の足場部１ａに亘って架け渡すことにより橋軸直角方向に延びる足場を形成するようになっている。
【００３２】
足場フレーム６０は、前記第１の足場部１ａの足場フレーム１０と一部を除いて同等の構成を有し、第１の足場部１ａの足場フレーム１０よりも長く形成されている。即ち、足場フレーム６０は、互いに上下方向に間隔をおいて平行に延びる上側フレーム部材６１及び下側フレーム部材６２と、上側及び下側フレーム部材６１，６２の長手方向両端にそれぞれ設けられた縦フレーム部材６３と、上側及び下側フレーム部材６１，６２の間に設けられたトラス部材６４とを備え、下側フレーム部材６２には間隔保持部材４０が係合する複数の係合部６２ａが長手方向３箇所に設けられている。尚、これらの詳細については第１の足場部１ａの足場フレーム１０と同様であるため省略する。
【００３３】
また、足場フレーム６０の長手方向両端には、連結フレーム７０に連結される連結部６５が設けられ、連結部６５は、第１の足場部１ａの足場フレーム１０と同様、足場フレーム６０の縦フレーム部材６３によって形成されている。即ち、連結部６５は、上下方向に延びるように形成されるとともに、上端を閉塞し且つ下端を開口した円筒状の部材からなる。
【００３４】
連結フレーム７０は、足場フレーム６０の縦フレーム部材６３と同一形状の円筒状部材からなる縦フレーム部材７１と、第１の足場部１ａの足場フレーム１０に連結される上下一対の第１の連結部７２と、足場フレーム６０に連結される第２の連結部７３とからなる。各第１の連結部７２は縦フレーム部材７１に互いに上下方向に間隔をおいて設けられており、上方の第１の連結部７２は第１の足場部１ａの足場フレーム１０の上側フレーム部材１１に連結され、下方の第１の連結部７２は下側フレーム部材１２に連結されるようになっている。各第１の連結部７２は、例えば周知の足場用クランプによって構成することができる。即ち、第１の連結部７２は回動自在な開閉部７２ａを有し、開閉部７２ａを開いて上側または下側フレーム部材１１，１２を挿入し、開閉部７２ａを閉じてネジを締めることにより上側または下側フレーム部材１１，１２に固定されるようになっている。第２の連結部７３は縦フレーム部材７１と足場フレーム６０の長手方向に間隔をおいて配置され、第２の連結部７３と縦フレーム部材７１の下端同士は平板状の基板７４に接合されている。第２の連結部７３は、外径が足場フレーム６０の連結部６５の内径よりも僅かに小さい円筒状の部材からなり、連結部６５内に軸心回りに回動自在に挿入されるようになっている。
【００３５】
足場フレーム６０の連結部６５と連結フレーム７０の第２の連結部７３が連結されると、足場フレーム６０と連結フレーム７０は連結板６６によって更に連結される。連結板６６は連結部６５の上面及び連結フレーム７０の縦フレーム部材７１の上面に亘って延びる平板状の部材からなり、その一端側をボルト６６ａ及びナット６６ｂによって連結部６５及び第２の連結部７３に固定され、その他端側をボルト６６ｃ及びナット６６ｄによって縦フレーム部材７１に固定されるようになっている。この場合、連結板６６の一端側、連結部６５の上面部及び第２の連結部７３の上面部には、それぞれ一方のボルト６６ａを挿通する孔６６ｅ，６５ａ，７３ａが設けられ、連結板６６の他端側及び縦フレーム部材７１の上面部には、それぞれ他方のボルト６６ｃを挿通する孔６６ｆ，７１ａが設けられている。また、各ナット６６ｂ，６６ｄは、それぞれ第２の連結部７３の上面部の内面及び縦フレーム部材７１の上面部の内面に接合されている。
【００３６】
以上の構成からなる吊足場は、既に設置されている第１の足場部１ａの吊足場から橋軸直角方向に延びるように設置される。
【００３７】
まず、図１９に示すように各第１の足場部１ａの足場フレーム１０にそれぞれ連結フレーム７０を連結した後、各連結フレーム７０の第２の連結部７３に足場フレーム６０の長手方向両端の連結部６５をそれぞれ連結することにより、図２０に示すように各第１の足場部１ａの足場フレーム１０に足場フレーム６０が架け渡される。
【００３８】
次に、図２４に示すように平行一対の足場フレーム６０に第１の床パネル２０及び第２の床パネル３０を並べて架け渡すとともに、間隔保持部材４０を各足場フレーム６０の係合部６２ａに係合することにより、一つの足場ユニット１ｂ−１が設置される。この場合、足場フレーム６０の長手方向両端側には第２の床パネル３０が一枚ずつ、他の部分には複数の第１の床パネル２０が配置される。これにより、各足場フレーム６０の下側フレーム部材６２間に架け渡された間隔保持部材４０によって各下側フレーム部材６２が互いに平行に保持されるとともに、各足場フレーム６０の上側フレーム部材６１間に架け渡された第１及び第２の床パネル２０，３０によって各上側フレーム部材６１が互いに平行に保持される。
【００３９】
この後、前述と同様にして新たな足場ユニット１ｂ−１を幅方向（橋軸方向）に設置することにより、第２の足場部１ａが橋軸方向に増設される。この場合、互いに隣り合う足場ユニット１ｂ−１間では互いに足場フレーム６０が共用される。
【００４０】
以上のように、橋軸直角方向両側にそれぞれ第１の足場部１ａを設置しながら各第１の足場部１ｂの間に第２の足場部１ｂを設置することにより、各第１の足場部１ｂ及び第２の足場部１ｂによって全体として連続した吊足場１を橋梁本体１の橋軸方向に沿って順次拡張しながら設置することが可能となる。
【００４１】
このように、本実施形態によれば、各足場フレーム１０を回動自在に支持する既設の足場側から各足場フレーム１０を回動して互いに平行になるように延ばし、各足場フレーム１０の上端側に第１及び第２の床パネル２０，３０を架け渡すように配置することにより、橋梁本体２から吊り下げられる足場本体を形成するようにしたので、地上から足場を組み上げることなく橋梁本体２に沿って延長しながら設置することができ、水平方向に延びる吊足場１を短時間で容易に形成することができる。これにより、例えば橋梁本体２の下方及び下方近傍に車道等がある場合でも交通規制を少なくして効率よく吊足場を設置することができ、足場設置工期を大幅に短縮することができる。
【００４２】
また、互いに水平方向に間隔をおいて平行に配置される足場フレーム１０の下端側に架け渡されるように配置される間隔保持部材４０を備え、間隔保持部材４０の両端側を各足場フレーム１０の下端側に係合することにより各足場フレーム１０を互いに間隔をおいて保持するようにしたので、設置状態における幅方向の変形に対する強度を間隔保持部材４０によって高めることができる。
【００４３】
更に、第１及び第２の床パネル２０，３０に各足場フレーム１０の上端側に係合する複数の係合部２１，３１を設け、第１及び第２の床パネル２０，３０と各足場フレーム１０との係合により各足場フレーム１０を互いに間隔をおいて保持するようにしたので、設置状態における幅方向の変形に対する強度を第１及び第２の床パネル２０，３０によって高めることができる。
【００４４】
これにより、足場の幅方向の強度を高めるために足場フレーム１０自体の構造を複雑化させることがないので、足場フレーム１０を簡素化及び軽量化することができ、足場フレーム１０の取付作業を容易に行うことができるとともに、足場全体の軽量化を図ることもできる。
【００４５】
更に、第１及び第２の床パネル２０，３０が足場フレーム１０に係合した状態で上面が足場フレーム１０の上端と同等の高さ位置になるように形成されているので、第１及び第２の床パネル２０，３０の上面と足場フレーム１０の上端との間に段差を生ずることがなく、足場全体の上面を平坦に形成することができる。この場合、各第１及び第２の床パネル２０，３０を他の第１及び第２の床パネル２０，３０と干渉することなく足場フレーム１０に着脱することができるので、例えば床パネルの端部が重なり合うように設置した場合に比べ、第１及び第２の床パネル２０，３０の設置順序や撤去順序を考慮する必要がなく、足場の設置作業及び撤去作業を容易に行うことができる。
【００４６】
また、足場フレーム１０の長手方向端部に他の新たな足場フレーム１０の長手方向端部を水平方向に回動自在に連結可能に構成したので、新たな足場フレーム１０を長手方向に順次連結することにより、足場本体を延長しながら現場に応じた長さの足場を容易に形成することができる。その際、既設の足場側から新たな足場フレーム１０の連結作業を行うことができるので、足場の設置作業を効率よく行うことができる。
【００４７】
この場合、足場フレーム１０同士を連結する連結部を、足場フレーム１０の長手方向一端側に設けられた第１の連結部１５と、足場フレーム１０の長手方向他端側に設けられ、第１の連結部１５に上下方向に着脱自在且つ水平方向に回動自在に連結される第２の連結部１６から形成したので、図１３に示すように新たな足場フレーム１０を横向きにした状態で既設の足場側の足場フレーム１０の第２の連結部１６に新たな足場フレーム１０の第１の連結部１５を上方から装着して連結した後、新たな足場フレーム１０を回動することができ、新たな足場フレーム１０の連結作業を既設の足場側から容易に行うことができる。
【００４８】
また、第１及び第２の連結部１５，１６を一方が他方の内部に挿入される円筒状部材によって形成したので、上下方向に着脱自在且つ水平方向に回動自在な連結部を簡単な構成により形成することができ、構造の簡素化を図ることができる。
【００４９】
更に、前記連結部は、第１及び第２の連結部１５，１６の一方の下端と足場フレーム１０の縦フレーム部材１３の下端側とが固定された基板１７と、互いに連結された第１及び第２の連結部１５，１６の上端と足場フレーム１０の縦フレーム部材１３の上端側とを連結する連結板１８とを有しているので、上下方向の曲げに対する足場フレーム１０同士の連結強度を高めることができ、足場全体の安定性を向上させることができる。
【００５０】
また、第１の連結部１５の凸部１６ａと第２の連結部１６の凹部１５ａとを係合させることにより、第１及び第２の連結部１５，１６を所定の回動位置で位置決めするようにしたので、新たな足場フレーム１０同士を平行に保持した状態で第１及び第２の床パネル２０，３０及び間隔保持部材４０の取付作業を行うことができ、作業性の向上を図ることができる。
【００５１】
更に、本実施形態の吊足場１は、足場フレーム１０の長手方向端部に他の足場フレーム１０の長手方向端部を連結することによって橋梁本体２の橋軸方向に延びるように形成され、互いに橋梁本体２の橋軸直角方向に間隔をおいて設けられた複数の第１の足場部１ａと、各第１の足場部１ａの足場フレーム１０の長手方向任意の位置に橋梁本体２の橋軸直角方向に延びる他の足場フレーム６０を連結することによって各第１の足場部１ａ間に亘って形成された第２の足場部１ｂとから構成したので、各第１の足場部１ａを設置した後、第２の足場部１ｂを設置することにより、効率よく吊足場１の足場全体を設置することができる。
【００５２】
特に、本実施形態の橋梁本体２の場合、まず幅方向一対の主桁３の下方に主桁３に吊り下げられる第１の足場部１ａをそれぞれ設置した後、吊り下げの困難な橋軸直角方向中央部分（各主桁３の間部分）に各第１の足場部１ａ側から第２の足場部１ｂを設置することにより、吊足場全体を容易に設置することができる。
【００５３】
尚、前記実施形態では、２本の間隔保持部材４０を各足場フレーム１０の長手方向に直交するように配置して各間隔保持部材４０同士を平行に設けたものを示したが、図２５及び図２６に示す変形例のように２本の間隔保持部材８０を互いにＸ状に交差するように設ければ、各足場フレーム１０の平行状態をより強固に保持することができる。その際、図２６に示すように、間隔保持部材８０の一端を足場フレーム１０の先端側の係合部１２ａに係合して間隔保持部材８０を押しながら足場フレーム１０を回動させるようにすれば、足場フレーム１０の回動作業を容易に行うことができる。この場合、図示していないが、間隔保持部材８０の係合部は、足場フレーム１０の係合部１２ａに対して回動可能となるように断面円形状に形成される。
【００５４】
また、前記各実施形態は本発明の一実施例であり、本発明は前記各実施形態に記載されたものに限定されない。
【符号の説明】
【００５５】
１…吊足場、１ａ…第１の足場部、１ｂ…第２の足場部、２…橋梁本体、１０…足場フレーム、１５…第１の連結部、１５ａ…凸部、１６…第２の連結部、１６ａ…凹部、２０…第１の床パネル、３０…第２の床パネル、４０，８０…間隔保持部材。
【要約】
【課題】地上からの足場の設置が困難な場合でも効率よく設置することのできる吊足場を提供する。
【解決手段】各足場フレーム１０を回動自在に支持する既設の足場側から各足場フレーム１０を回動して互いに平行になるように延ばし、各足場フレーム１０の上端側に第１及び第２の床パネル２０，３０を架け渡すように配置することにより、橋梁本体２から吊り下げられる足場本体を形成するようにしたので、地上から足場を組み上げることなく橋梁本体２に沿って延長しながら設置することができる。この場合、間隔保持部材４０の両端側を各足場フレームの下端側に係合するとともに、第１及び第２の床パネル２０，３０と各足場フレーム１０とを係合することにより、各足場フレーム１０を互いに間隔をおいて保持するようにしたので、設置状態における幅方向の変形に対する強度を高めることができる。
【選択図】図３【図１】
0006957723.tif 000002
【図２】
0006957723.tif 000003
【図３】
0006957723.tif 000004
【図４】
0006957723.tif 000005
【図５】
0006957723.tif 000006
【図６】
0006957723.tif 000007
【図７】
0006957723.tif 000008
【図８】
0006957723.tif 000009
【図９】
0006957723.tif 000010
【図１０】
0006957723.tif 000011
【図１１】
0006957723.tif 000012
【図１２】
0006957723.tif 000013
【図１３】
0006957723.tif 000014
【図１４】
0006957723.tif 000015
【図１５】
0006957723.tif 000016
【図１６】
0006957723.tif 000017
【図１７】
0006957723.tif 000018
【図１８】
0006957723.tif 000019
【図１９】
0006957723.tif 000020
【図２０】
0006957723.tif 000021
【図２１】
0006957723.tif 000022
【図２２】
0006957723.tif 000023
【図２３】
0006957723.tif 000024
【図２４】
0006957723.tif 000025
【図２５】
0006957723.tif 000026
【図２６】
0006957723.tif 000027